(57)【要約】  液体組成物及び包装フィルム材料を含む水溶性洗浄パウチと、そのための包装容器との組み合わせを含む洗剤パック。前記液体組成物は、第１の香料を含む。前記包装容器は、蓋部及びフレーム部を備えるヒンジ式の蓋を備える。前記包装容器は、実質的に前記容器の開口部におけるその内壁に接着した接着剤ストリップを備え、前記ホットメルトはアルデヒド含有香料を含む。悪臭を発生する水溶性パウチを収容する包装容器の内部の悪臭を防止又は低減するための方法も提供される。【特許請求の範囲】
【請求項１】
液体組成物及び包装フィルム材料を含む水溶性洗浄パウチと、そのための包装容器との組み合わせを含む洗剤パックであって、
ｄ）前記液体組成物が第１の香料を含み、
ｅ）前記包装容器が蓋部分及びフレーム部分を備えるヒンジ式の蓋を備え、
ｆ）前記包装容器が実質的に前記容器の開口部におけるその内壁に接着した接着剤ストリップを備え、前記接着剤ストリップがアルデヒド含有香料を含む、洗剤パック。
【請求項２】
前記包装フィルム材料がポリビニルアルコールである、請求項１に記載の洗剤パック。
【請求項３】
前記接着剤ストリップがホットメルト接着剤である、請求項１又は２に記載の洗剤パック。
【請求項４】
前記ホットメルト接着剤が、
ｄ）エチレンと少なくともヘテロ原子を含む少なくとも別のモノマーとのコポリマーと、
ｅ）少なくとも１つのヘテロ原子を含む少なくとも１０％の可塑剤と、
ｆ）約２０％〜約７０％のアルデヒド含有香料とを含む、請求項３に記載の洗剤パック。
【請求項５】
前記水溶性パウチが多区画パウチである、請求項１〜３のいずれか一項に記載の洗剤パック。
【請求項６】
前記水溶性パウチが粉末区画を含む多区画パウチである、請求項１〜４のいずれか一項に記載の洗剤パック。
【請求項７】
前記水溶性洗剤パウチが食器洗い又は洗濯洗浄パウチである、請求項１〜５のいずれか一項に記載の洗剤パック。
【請求項８】
前記包装容器が透明プラスチックタブである、請求項１〜６のいずれか一項に記載の洗剤パック。
【請求項９】
前記包装容器の蓋部分又はフレーム部分が不透明、好ましくは色付きである、請求項７に記載の洗剤パック。
【請求項１０】
洗浄組成物及び包装フィルム材料を含み、悪臭を発生する水溶性パウチを収容する包装容器の内部の悪臭を、請求項１〜９のいずれか一項に記載の包装容器にその内壁に接着したホットメルト接着剤を提供することによって防止又は低減する方法であって、前記ホットメルト接着剤がアルデヒド含有香料を含む、方法。
【請求項１１】
前記包装フィルム材料がポリビニルアルコールである、請求項９に記載の方法。
【請求項１２】
前記水溶性パウチが粉末区画及び液体区画を有する２重区画パウチである、請求項９又は１０に記載の方法。
【発明の詳細な説明】
【技術分野】
【０００１】
本発明は洗剤製品の分野に関する。具体的には、本発明は包装容器及び水溶性洗浄パウチの組み合わせを含む洗剤製品に関する。本発明はまた、水溶性パウチを収容する包装容器の内部の悪臭を防止又は低減するための方法に関する。
【背景技術】
【０００２】
洗浄洗剤組成物には通常香りが付けられている。粉末洗浄製品は通常、その粉末上に噴霧された香料を有する。液体洗浄製品は通常、その中に溶解された／乳化された香料を有する。従来の製品では、香料の一部が組成物からパッケージのヘッドスペース中に放出されて、そのパッケージが開けられるたびに、又は少なくともその最初の数回に対して、心地良い香りを提供する。消費者はこの心地良い香りを洗浄力と関連付け、パッケージが開けられるたびに香料を知覚することを期待する。
【発明の概要】
【発明が解決しようとする課題】
【０００３】
水溶性洗浄パウチ、即ち使用中に溶解する水溶性フィルムで被包された洗浄組成物は、香料を含有してもよい。ポリビニルアルコールフィルムなどのほとんどの水溶性フィルム材料は、実質的に香料不透過性であり、パウチの内部から包装容器への香料の移動を防止又は低減する。消費者は香料の芳香を期待する。したがって、包装容器は、香料無しでは魅力に乏しく、製品の受け入れに影響を及ぼす。
【０００４】
通常、水溶性フィルム材料は湿気に弱い。フィルム及び封入された組成物を保護するために、パウチは周囲環境からパウチ内部への、及びその逆の水分の移動を低減させる包装容器中に保存される。ＰＣＴ国際公開特許ＷＯ０３／０４７９９８は、洗剤組成物を含有する水溶性カプセルとそのカプセルを収容するパッケージとの組み合わせを開示している。前記パッケージは、３８℃及び相対湿度９０％で０．２５ｇ／ｍ２／日〜１０ｇ／ｍ２／日の水蒸気透過度を有する材料から形成される。
【０００５】
水溶性洗浄パウチは、主に製造プロセスで発生するフィルム材料の不純物に由来する悪臭を発生する可能性があることもまた分かっている。これらの悪臭はパッケージの限定されたヘッドスペースに蓄積し、パッケージを開けた時に容易に知覚される。これが消費者と製品との相互作用の最初の瞬間である。製品の受け入れは大いにこの瞬間に基づく。消費者は悪臭が非常に不快であると感じ、それらをきつい化学物質と関連付ける。このことは消費者からの受け入れに悪影響を及ぼし得る。
【０００６】
悪臭は強力な又は高レベルの香料でマスクできるであろうが、洗浄製品中に強力な香料を使用することは消費者に広く受け入れられていない。
【課題を解決するための手段】
【０００７】
本発明によって、液体組成物と包装フィルム材料を含む水溶性洗浄パウチと、そのための包装容器との組み合わせを含む洗剤パックが提供され、その洗剤パックは、
ａ）前記液体組成物が第１の香料を含み、
ｂ）前記包装容器が蓋部分及びフレーム部分を備えるヒンジ式の蓋を備え、及び
ｃ）前記包装容器が実質的に前記容器の開口部におけるその内壁に接着した接着剤ストリップを備え、前記接着剤ストリップがアルデヒド含有香料を含む洗剤パックである。
【０００８】
パウチは好ましくは液体組成物を含み、好ましい実施形態ではこの液体組成物は香料を含む。包装容器はそれらの内壁に接着した接着剤ストリップを備える。接着剤ストリップは容器開口部の隣、近く又は開口部に配置される。接着剤ストリップは第２の香料を含み、第２の香料は第１の香料と同じか又は別であってもよい。第２の香料は洗剤パウチ及び包装容器内のヘッドスペースに充満するどのような悪臭をも審美的な芳香で打ち消すのに効果的である。好ましくは、第２の香料はアルデヒド含有香料である。
【０００９】
本出願人は、本明細書に記述したような接着剤ストリップは問題を引き起こす可能性があるか又は問題を引き起こす原因と認識されるかもしれないことを見出した。第１に、接着剤ストリップに装填した香料が使用者と接触した際の安全性に関して起こり得る問題がある。そのような接触は、例えば炎症を引き起こすかもしれない可能性がある。容器の外壁又は内壁上にストリップを配置することは、使用者がストリップと接触するようになる可能性に通じる。第２に、接着剤ストリップは表面から突き出る。ストリップがこのように容器の内面に取り付けられると、ストリップに対するパウチの摩擦がパウチの破断を引き起こす可能性がある。第３に、ストリップはべたつきがある。したがってパウチはストリップに貼りついてしまう可能性がある。これによりまたもや、パウチの破断がもたらされる可能性がある。
【００１０】
パックは好ましくは、少なくとも１０個のパウチ、より好ましくは少なくとも１２個のパウチを収容する。好ましい実施形態では、包装フィルム材料はポリビニルアルコールである。包装容器が最初に開けられる時及びその後包装容器が開けられるたびに、非常に心地良い香りが得られる。
【００１１】
接着剤ストリップは任意の寸法又は形状のストリップ若しくはパッチであり、容器開口部を並置する包装容器の内面に設置できる。しかし、ストリップは容器の蓋によって実質的に隠されるように作られる必要がある。接着剤ストリップは接着剤ラベル、ホットメルト接着剤ストリップ又は接着剤を塗布したポリマー、布地、プラスチック若しくはその他の材料のストリップであってよい。全ての実施形態は、香料を含浸させ、その後香料を長期間にわたって放出することができる。好ましい実施形態では、接着剤ストリップはホットメルト接着剤ストリップである。「ホットメルト接着剤」とは、溶融され、包装容器に送達され、冷却により接着した高分子組成物と理解される。組成物はそれ自体が接着剤であり、包装容器に接着するために接着助剤を必要としない。好ましくは、接着剤の融解温度はアルデヒド含有香料の引火点よりも低く、好ましくは１００℃以下、より好ましくは７０℃以下である。
【００１２】
今では、特にパウチが限定された空間中にパッケージ化されている場合、パウチに関連した「魚の」臭気に似た悪臭が存在することが判明している。包装フィルム材料が、特にその材料がポリビニルアルコールである場合に、この悪臭の主たる原因となると考えられている。本発明はしたがって、包装フィルム材料がそれ自体悪臭を発生する洗剤パウチに特に適用性がある。理論に束縛されるものではないが、悪臭はフィルム製造工程の間にフィルム中に捕捉されたアミン類又は他の不純物によって引き起こされると考えられている。アミン類及び／又は他の不純物は悪臭を発生するパウチの耐用期間の間に徐々に放出される。悪臭は小さい容積の限定された空間に留まった場合に特に顕著である。アミン類は香料から放出されるアルデヒド類と反応して嗅覚的に心地良い錯体を生じることができると理論化されている。この心地良い香りは、包装容器が最初に開けられる時だけでなく、包装容器を開けるたびに得られる（包装容器は収容されているパウチの数と同じ回数だけ、即ち約１２回開けられることが予想される）。接着剤ストリップは香料の持続した放出を提供することができ、毎回包装容器が開けられ、その後閉じられた後に、ヘッドスペースへの補充を可能にする。
【００１３】
洗浄パウチとして洗剤組成物、即ち、洗濯、手動及び自動食器洗いなどを含む洗浄に使用するために、使用時に溶解する水溶性フィルムの中に充填した洗剤又は添加組成物、即ち、洗剤組成物を使用するためにフィルムが除去される必要がないもの、が考えられる。用語「パウチ」とは、本明細書で使用する時、小袋、カプセル及び包装された部分を包含する。パウチは通常、約４０〜約１０ｍＬ、好ましくは約３０〜約２０ｍＬの体積を有する。寸法はパウチの幾何学的形状によって変化してよく、矩形、正方形のパウチは約６×６ｃｍ２〜約２×２ｃｍ２、好ましくは約４×４ｃｍ２〜約２．５×２．５ｃｍ２の設置面積、及び約０．５〜約２ｃｍ、好ましくは約０．８〜約１．８ｃｍの高さを有していてよい。いかなる形状のパウチも想定される。注目される形状は、卵形、楕円、円形、正方形、矩形、まくら形状パウチ及びそれらの組み合わせである。パウチは、好ましくは約２〜１０ｃｍ、より好ましくは３〜８ｃｍの範囲の最大直径を有する。パウチは、約０．４〜７ｃｍ、より好ましくは１．５〜５ｃｍの範囲の最大高さを有する。
【００１４】
好ましい実施形態では、接着剤ストリップは、
ａ）エチレンと少なくともヘテロ原子を含む少なくとも別のモノマーとのコポリマーと、
ｂ）少なくとも１つのヘテロ原子を含む少なくとも１０重量％の可塑剤と、
ｃ）約２０重量％〜約７０重量％、より好ましくは約３０重量％〜約６０重量％のアルデヒド含有香料と、を含む。
【００１５】
接着剤ストリップは均一で持続する香料放出をもたらし、パウチが分与された後その都度毎回、ヘッドスペースの補充を可能にする。
【００１６】
洗浄パウチは単区画又は多区画パウチであることができる。多区画パウチの場合には、液体組成物は、洗浄組成物（即ち、ビルダー等などの洗浄活性成分を含有する）又は純粋に香料、染料等を含有する審美的組成物のどちらかであることができる。
【００１７】
用語「液体」とは、本明細書で使用する時、ゲル、ペースト及びその中に固体が懸濁された液体組成物も包含する。液体組成物は第１の香料を含む。第１の香料及びアルデヒド含有香料は同じであることができるが、好ましくはそれらは異なっている。フィルム材料は通常、実質的に香料を透過しない。液体組成物中に含有された香料は主に使用中に放出されることになる。貯蔵及び取扱い中に液体組成物から発生する香料効果は全く無いか又は無視できる。本発明のパックは、パウチが使用される時ばかりでなく包装容器が開けられる時に心地良い香りを提供する。この手法は２つの類似の又は異なる香料の、１つは取扱い中の及び１つは使用中の送達を可能にし、消費者により完全な及び心地良い経験を提供する。通常はパウチの取扱い及び分与中に期待される香料経験は、使用中に期待されるものとは異なり、異なる香料の性質及び強度が必要とされる。本手法は妥協を必要とすることなく２つの瞬間における最適化を可能にする。本手法はまた、液体組成物の香料がその組成物が使用時に放出されるまで損なわれないまま保たれるようにする。
【００１８】
好ましい多区画の実施形態では、パウチは、同様に香料を含んでもよい粉末組成物を更に含む。例えば、漂白剤のような気体発生成分を含有するパウチは、貯蔵中に形成される気体を放出するために、気体放出手段、例えばピンホールを有していてもよい。気体放出手段は、少量の香料及び／又は悪臭もまた放出し得る。気体放出手段を備えるパウチはいくらかの香料を放出し得るが、放出される量はフィルムから生ずる悪臭の問題を克服するのに十分であるとはいえない。粉末組成物中の香料の濃度が増大された場合、これは使用中に過剰な効果を生じて食器に残留の臭気を残し、このことは受け入れられない場合がある。接着剤ストリップから放出される香料も同様に粉末組成物からピンホールを通ってくる悪臭を打ち消すことができる。
【００１９】
好ましい実施形態では、包装容器はタブである。できれば透明なタブが、適したプラスチックから製造されるのが好ましい。ヒンジ式の蓋は総じて、蓋部分又はフレーム部分が不透明であるのが好ましい。より好ましくは、ヒンジ式の蓋は総じて、蓋部分又はフレーム部分が色付きである。最も好ましくは、ヒンジ式の蓋、蓋又はフレームが不透明でありかつ色付きである。
【００２０】
本発明の別の態様によると、洗浄組成物及び包装フィルム材料から構成される悪臭を発生する水溶性パウチを収容する包装容器の内部の悪臭を、前記包装容器の開口部の近く、隣接部又は開口部における内壁に接着した接着剤ストリップを備えることによって防止又は低減する方法が提供される。この接着剤ストリップはアルデヒド含有香料を含む。
【００２１】
好ましい実施形態では、包装フィルム材料はポリビニルアルコールである。この方法はあらゆる種類の悪臭を発生するパウチを収容する包装容器に適している。悪臭は主にフィルム材料に起因すると考えられているが、この方法は洗浄組成物から生ずることのある他の悪臭に対処することができると思われる。好ましい実施形態では、本発明の方法は、粉末区画及び液体区画を有する２区画パウチを収容する洗剤パックにおいて実施される。
【発明を実施するための形態】
【００２２】
本発明は、水溶性洗浄パウチを収容し、分与するための包装容器を含む洗剤パックを想定している。前記包装容器は内壁に接着した、香料を含む接着剤ストリップを備える。前記ストリップは香料をゆっくりと放出し、包装容器が開けられるたびに心地良いにおいを提供する。好ましい実施形態は、パックが取扱われるたびに（それが開けられる前でも）心地良い香りを提供する。洗浄組成物はまた、使用中に放出される香料も含んでいる。本発明はまた、パウチを収容する包装容器の中の悪臭を、その包装容器にアルデヒド含有香料を含む接着剤ストリップを備えることによって防止する又は低減する方法を想定している。
【００２３】
水溶性洗浄パウチは当該技術分野において周知である。例えば、欧州特許ＥＰ１１２６０７０、ＰＣＴ国際公開特許ＷＯ０１／８３６６１、同ＷＯ０２／１２４３２及び同ＷＯ０３／０４５８１３に水溶性洗浄パウチが記載される。
【００２４】
本明細書で使用するための適したパウチ材料は、ＰＣＴ国際公開特許０２／４２４０８の２２ページ２０行目〜２４ページ８行目に記載されている。
【００２５】
好ましいパウチ材料としては、米国インディアナ州ゲーリー（Gary）のクリス−クラフト・インダストリアル・プロダクツ（Chris-Craft Industrial Products）により販売されるような商品参照名モノゾル（Monosol）Ｍ８６３０として知られているＰＶＡ（ポリビニルアルコール）フィルム、及び同様の溶解特質及び変形特質を有するＰＶＡフィルムが挙げられる。本明細書で用いるのに適した他のフィルムとしては、アイセロ（Aicello）により供給される商品参照名ＰＴフィルム又はフィルムのＫ−シリーズとして既知のフィルム、又はクラレ（Kuraray）により供給されるＶＦ−ＨＰフィルムが挙げられる。
【００２６】
包装容器
包装容器はタブ、トレイ、ジャー、ボトル、バッグ、ボックス等であることができる。包装容器はヒンジ式の蓋によって再び密閉できる。包装容器は好ましくは、３８℃、９０％相対湿度において０．２５ｇ／ｍ２／ｄａｙ未満の水蒸気透過度を有する。
【００２７】
包装容器は、その容器からそれによって製品を取出しできる少なくとも１つの、好ましくは１つだけの開口部を備える。前記開口部はヒンジ式の蓋を用いて再密閉できる。ヒンジ式の蓋は、容器の開口部に取り付けられる別個の片であり、包装容器に嵌合する。ヒンジ式の蓋は、その２つの間の密閉がしっかりするように特殊に作られる。ヒンジ式の蓋には、蓋部分とヒンジにおける蓋部分と連結されるフレーム部分とが備わる。その２つの部分は互いに連結するように特殊に作られ、密封を形成する。好ましくはヒンジ式の蓋は、ＰＣＴ国際公開特許ＷＯ０３／０２２７０３に記載されるように不正開封防止システムを備える。フレームは容器の開口部に嵌合するように特殊に作られる。接着剤ストリップは、容器開口部の近くに、隣接して又は開口部における内壁に取り付けられる。フレーム部分はしたがって、接着剤ストリップの存在を完全に又は部分的に覆い隠すであろう。したがって、接着剤ストリップは、使用者による視野から又は接触から少なくとも部分的に隠されるか、若しくは明確な意図無しに偶発的な接触又は目視が一般的に可能でないように配置される。より好ましくは、その接着剤ストリップは、開口端の少なくとも１ｃｍ以内の容器内壁に、より好ましくは容器の開口端から少なくとも０．７５ｃｍ以内に、最も好ましくは少なくとも０．５ｃｍ以内に取り付けられる。
【００２８】
第１の香料組成物
液体組成物中の香料の濃度は、液体組成物の約０．００１〜約１０重量％、好ましくは約０．０５〜約５重量％、より好ましくは約０．０１〜約１．５重量％の範囲であってよい。
【００２９】
アルデヒド含有香料
本明細書で使用するのに適したアルデヒドは、従来香料に使用されているものであり、及び「香料及び風味料化学」第Ｉ及びＩＩ巻、Ｓ．アークタンダー（S. Arctander）、アルレッド・パブリッシング（Allured Publishing）、１９９４年、ＩＳＢＮ  ０−９３１７１０−３５−５に見出すことができる。適したアルデヒドとしては、Ｃ６〜Ｃ１４脂肪族アルデヒド、Ｃ６〜Ｃ１４非環式テルペンアルデヒド、及びこれらの混合物が挙げられる。好ましくは、本発明の香料構成成分はＣ８〜Ｃ１２脂肪族アルデヒド、Ｃ８〜Ｃ１２非環式テルペンアルデヒド、及びこれらの混合物から選択される。より好ましくは、本発明の香料構成成分は、シトラール；ネラール；イソ−シトラール；ジヒドロシトラール；シトロネラール；オクタナール；ノナナール；デカナール；ウンデカナール；ドデカナール；トリデカナール；２−メチルデカナール；メチルノニルアセトアルデヒド；２−ノネナール（2-nonen al）；デカナール；ウンデセナール；ウンデシレンアルデヒド；２，６ジメチルオクタナール；２，６，３，１０，トリメチルウンデセン−ｌ−アール；トリメチルウンデカナール；ドデセナール；メロナール；２−メチルオクタナール；３，５，５，トリメチルヘキサナール、及びこれらの混合物からなる群から選択される。好ましくは、ホットメルトで使用するための香料は、香料組成物の少なくとも１重量％、より好ましくは少なくとも２重量％、とりわけ少なくとも４重量％のアルデヒドを含む。
【００３０】
好ましくは、接着剤ストリップに含まれる香料は、シトラス系、即ち、レモン、オレンジ、ライム、グレープフルーツなどに類似した香りを有する。シトラス香料は、新鮮さや清潔さと関連付けられ、例えば食器洗浄洗剤のようないくつかの洗浄製品において使用するのに好ましい香料である。
【００３１】
接着剤ストリップ
包装容器の内側に定置される接着剤ストリップの量は、寸法、特にヘッドスペースの量、包装容器及び容器内に収容されるパウチの数と大きさによって決まる。例えば、包装容器が１０個のポリビニルアルコール製で容積約５０ｍＬのパウチを収容し、そのパウチがその包装容器の内部容積の４０％以上を、好ましくは６０％以上を、より好ましくは７０％以上を占有する場合、約０．０５〜約０．３ｇのホットメルト接着剤が必要であろう。４０％〜６０％のアルデヒド含有香料を含むホットメルトでは、好ましくは約０．１〜約０．２ｇである。
【００３２】
ホットメルト接着剤は接着剤ストリップの好ましい実施形態である。本明細書の使用に好ましいホットメルト接着剤ストリップの第１の必須成分は、エチレンと、少なくともヘテロ原子を含む少なくとも別のモノマーとのコポリマーである。エチレンと少なくともヘテロ原子を含む少なくとも別のモノマーとの全てのコポリマーが本明細書で使用するのに適している。
【００３３】
用語「少なくともヘテロ原子を含むモノマー」は、ＸがＣ又はＨではない少なくとも１つのＣ−Ｘ結合を含む全てのモノマーを含む。前記Ｃ−Ｘ結合は好ましくは極性結合である。好ましくは炭素原子はＮ、Ｓ、Ｆ、Ｃｌ又はＯ原子と結合している。より好ましくは前記極性結合はカルボニル基の、より好ましくはエステル基の一部である。本発明のための好ましい、少なくともヘテロ原子を含むモノマーは、ビニルアセテート、ビニルアルコール、メチルアクリレート、エチルアクリレート、ブチルアクリレート、アクリル酸及びそれらから形成される塩、メタクリル酸及びそれらから形成される塩、無水マレイン酸、グリシジルメタクリレート及び一酸化炭素である。
【００３４】
本明細書に用いるのに適したコポリマーは、ブロック及び非ブロックコポリマーの両方、グラフトコポリマー、側鎖を有するコポリマー、又は架橋されたコポリマー、及びエチレンモノマーが少なくともヘテロ原子を含むモノマーと無作為に共重合したコポリマーであることができる。
【００３５】
エチレンの好ましいコポリマーとして、エチレン−ビニルエステルコポリマー、エチレン−アクリル酸エステルコポリマー、エチレン−メタクリル酸エステルコポリマー、イオノマー、エチレン−アクリル酸コポリマー、エチレン−メタクリル酸コポリマー、エチレン−ビニルエステル−アクリル酸コポリマー、エチレン−ビニルエステル−メタクリル酸コポリマー、エチレン−ビニルエステル−無水マレイン酸コポリマー、エチレン−アクリル酸エステル−無水マレインコポリマー、エチレン−ビニルエステル−グリシジルメタクリレートコポリマー、エチレン−アクリル酸エステル−グリシジルメタクリレートコポリマー、エチレン−無水マレイン酸コポリマー、エチレン−グリシジルメタクリレートコポリマー及びそれらの混合物が挙げられる。
【００３６】
本発明に適したコポリマー中の少なくともヘテロ原子を含むモノマーは、コポリマーの総重量の１０％〜９０％、好ましくは少なくとも１４％、より好ましくは少なくとも１８％に相当する。
【００３７】
特に好ましいコポリマーとしては、デュポン（Dupont）により商標名エルバックス（Elvax）（商標）で、アトフィナ（Atofina）によりエバタン（Evathane）（商標）で、エクソン（Exxon）よりエスコレン（Escorene）（商標）で、及びバイエル（Bayer）よりレバプレン（Levapren）（商標）及びレバメルト（Levamelt）（商標）で販売されているもののようなエチレン−ビニルアセテートコポリマー、及びアトフィナ（Atofina）より商標名ロトリル（Lotryl）（商標）で販売されているもののようなエチレン−アクリルエステルコポリマーが挙げられる。
【００３８】
本明細書で用いるのに好ましいホットメルト接着剤の第２の必須構成成分は、エチレンと少なくともヘテロ原子を含む少なくとも別のモノマーとのコポリマーと適合性のある、少なくとも１つのへテロ原子を含む可塑剤又は可塑剤の混合物である。用語「少なくともヘテロ原子を含む可塑剤」は、分子中に少なくとも１つのＣ−Ｘ結合を含み、ＸがＣ又はＨではない全ての可塑剤を含む。前記Ｃ−Ｘ結合は好ましくは極性結合である。好ましくは炭素原子はＮ、Ｓ、Ｆ、Ｃｌ、又はＯ原子と結合している。より好ましくは前記極性結合はカルボニル基の、より好ましくはエステル基の一部である。
【００３９】
本明細書で使用するための適した可塑剤としては、クエン酸エステル；低分子量ポリエステル；ポリエーテル；液体ロジンエステル；芳香族スルホンアミド；フタル酸エステル；安息香酸エステル；ショ糖エステル；多官能性アルコールの誘導体（ここで多官能性とは２つ以上のヒドロキシル基を有することを意味する）；アジピン酸エステル；酒石酸エステル；セバシン酸エステル；リン酸、脂肪酸及び二塩基酸のエステル；脂肪アルコール及びジオール；エポキシ化植物油等、及びそれらの混合物が挙げられる。既に上述したように、相溶性の異なる可塑剤の異なる極性（当業者に既知のいずれかの方法、例えば水／オクタノール分配係数を用いて測定可能な）を使用して、揮発性物質の極性とのより良好な調和を与えるために、高分子マトリックスの極性を調整することができる。
【００４０】
好ましくは、ホットメルト接着剤組成物は、組成物の５重量％〜７５重量％、より好ましくは１０重量％〜５０重量％の、エチレンと少なくともヘテロ原子を含む少なくとも別のモノマーとのコポリマー；組成物の１０重量％〜６０重量％、好ましくは１５重量％〜４０重量％の、少なくともへテロ原子を含む相溶性可塑剤又は可塑剤のブレンド；及び２０％を超える、好ましくは３０％を超える、より好ましくは４０％を超える香料を含み；揮発性物質は好ましくは組成物の最大８０重量％まで含む。
【００４１】
高分子ホットメルト接着剤は、更に、組成物の加工性、及びまたこうした高分子組成物から形成される物体の、機械的特質並びに粘性や光、酸素及び熱による劣化への耐性、視覚的外観等のような他の特質を更に改善するために、追加の任意の構成成分を含んでもよい。
【００４２】
こうした任意成分は、それらの特性を改善する、例えば基材との接着性又は適合性を向上させるために配合に含むことができる、他のコポリマーを含んでもよい。この目的のために好ましい任意のコポリマーは、スチレンと少なくとも１つの他のビニル又はアクリルモノマーとのコポリマー、ポリ（ビニルアルコール）のコポリマー、ポリアミド、ポリエーテルアミドコポリマー、ポリエステルアミドコポリマー、ポリエステル、ポリエーテルエステルコポリマー、ポリウレタン、ポリエーテル、ポリ（２−エチル−２−オキサゾリン）、ポリ（ビニルピロリドン）のコポリマー、ポリアクリレート、ポリビニルエーテルのコポリマー）等である。
【００４３】
ポリマーの水性エマルション又は分散液を得るための技術は、当業者には周知である。例えば、選択されたポリマー、可塑剤及び香料を熱可塑性材料として一緒にブレンドすることができる。得られた溶融物はその後、好ましくはその融点を超える温度において、混合することによって水に分散させることができる。当業者に既知の界面活性剤系及び／又は安定化系を使用して、得られたエマルション又は分散液を安定化することができる。
【００４４】
別の方法としては、予備形成された水性ポリマー分散液又はエマルションを選択された可塑剤及び香料とブレンドすることができる。これは、成分をポリマー分散液若しくはエマルションに直接添加することによって、又は例えば香料及び可塑剤の水性分散液を形成して、これをポリマー分散液若しくはエマルションとブレンドすることによって行うことができる。どちらの手順も、結果として本発明によるポリマー組成物の水性分散液の形成をもたらす。
【００４５】
別の方法としては、ポリマー分散液を可塑剤及び／又は香料の存在下で形成することができる。この方法は、分散された揮発性物質及び／又は可塑剤を含有する水中へのモノマー又はプレポリマーの溶液又は分散液を伴うことができる。次いで重合を開始してポリマー分散液を形成することができる。必要ならば、香料又は可塑剤を後で加えて分散されたポリマー組成物を生成することができる。
【００４６】
本明細書で用いるのに好ましいホットメルト接着剤組成物は、それらのレオロジー及びそれらの接着特性に起因して、選択された基材上に溶融状態で塗布されるのに、及び直接そこに接着されるのに特に有用である。例えば、それらは容器の内側面に容易に取り付けることができる。こうした適用は容器の製造中に容易に達成することができる。ポリマー組成物は従来のホットメルトデリバリーシステムによって適用することができる。このシステムは典型的に、ホットメルトを加工可能な粘度を有するのに必要な温度に維持する溶融ユニットを包含する。溶融ユニットは典型的に、ある長さのホースユニットを通ってグルーガン又はノズルに到達するまでホットメルトを送り出すことができるポンピングシステムを含有する。ノズルは、接着剤の所望の適用形態（コーティング、ストライプ、ビーズ等）に従って異なる幾何学形状を有することができる。典型的な実施形態では、グルーガンとしてスロットノズルを用いることができる。
【００４７】
本明細書において言及したすべての文書を参考として組み込む。
【実施例】
【００４８】
実施例で使用する略語
以下の実施例において、全ての濃度は重量パーセント（％）として引用される。
【００４９】
パウチ
ここに追加される組成物、充填材、寸法など。
【表１】
2010503586.tif 000002
ＨＬＡＳ：直鎖アルキルベンゼンスルホン酸
ＰＥ２０：エトキシ化ポリ（エチレンイミン）ＰＥＩ６００  Ｅ２０
増白剤４９：４，４’−ビス−（２−スルホスチリル）ビフェニル二ナトリウム、チバガイギーから、商品名チノパール（Tinopal）ＣＢＳ
増粘剤：４％硬化ヒマシ油、１６％ＨＬＡＳ、０．１０％ＳＴＰＰ、３．６５％ＮａＯＨ、残量は水
【００５０】
アルデヒド含有香料
表２及び３は、ホットメルト接着剤の一部を形成するアルデヒド含有香料の組成物を例示している。アルデヒドは太字で強調されている。香料Ａはレモンに似た香りを有する。香料Ｂは谷間の新鮮なスズランに似た香りを有する。
【表２】
2010503586.tif 000003
【表３】
2010503586.tif 000004
【００５１】
ホットメルト接着剤
組成物Ａ
２４．７５部のエルバックス（Elvax）（登録商標）２５０、デュポン（Dupont）から入手可能な、２８重量％のビニルアセテート含量及び２５ｄｇ／分のメルトフローインデックス（ＡＳＴＭ  Ｄ１２３８）を有するポリ（エチレン−コ−ビニルアセテート）；９．７５部のエスコレンウルトラＭＶ（Escorene Ultra MV）０２５２８、エクソンモービルケミカル（ExxonMobil Chemical）から入手可能な、２７．５重量％のビニルアセテート含量及び１９０℃で３．１Ｐａ．ｓ（３１００ｃｐｓ）の溶融粘度（エクソン・モービル法（ExxonMobil method））を有するポリ（エチレン−コ−ビニルアセテート）；１５部のフォラリン（Foralyn）（商標）５０２０Ｆ、イーストマンケミカル（Eastman Chemical）から入手可能なロジンエステル可塑剤；及び０．５部のイルガノックス（Irganox）（商標）Ｂ２２５、チバガイギー（Ciba Geigy）（スイス）から入手可能な酸化防止剤を、シグマーブレードミキサーに加えてポリマーの融点（約１２０℃）よりも約１０〜２０℃高い温度に加熱した。均質な塊が得られるまで成分を混合した。次いで、温度を、混合物がまだ溶融している点まで、通常は混合物の融点（本ケースでは約８０℃）よりも約１０〜２０℃高い点まで低下させた。５０部の香料（組成物Ａ又はＢ、表２又は３）を可塑化されたポリマー混合物に加えた。成分を、均質な混合物が得られるまで混合した。
【００５２】
組成物Ｂ
３９．５ｇのエスコレンウルトラＭＶ０２５２８、エクソンモービルケミカル（ExxonMobil Chemical）から入手可能な、２７．５重量％のビニルアセテート含量及び１９０℃で３．１Ｐａ．ｓ（３１００ｃｐｓ）の溶融粘度（エクソン・モービル法（ExxonMobil method）を有するポリ（エチレン−コ−ビニルアセテート）；３０部のフォラリン（Foralyn）（商標）５０２０Ｆ、イーストマンケミカル（Eastman Chemical）から入手可能なロジンエステル可塑剤；及び０．５部のイルガノックス（Irganox）（商標）Ｂ２２５、チバガイギー（Ciba Geigy）（スイス）から入手可能な酸化防止剤を、シグマーブレードミキサーに加えてポリマーの融点（約１２０℃）よりも約１０〜２０℃高い温度に加熱した。均質な塊が得られるまで成分を混合した。次に温度を、混合物がなお溶融している点、典型的には混合物の融点（本ケースでは約６０℃）よりも約１０〜２０℃高い点まで下げた。３０部の香料（組成物Ａ又はＢ、表２又は３）を可塑化されたポリマー混合物に加えた。成分を、均質な混合物が得られるまで混合した。
【００５３】
本明細書に開示される寸法及び値は、列挙された正確な数値に厳しく制限されるものとして理解されるべきではない。それよりむしろ、特に指定されない限り、こうした各寸法は、列挙された値とその値周辺の機能的に同等の範囲との両方を意味することを意図する。例えば、「４０ｍｍ」として開示された寸法は、「約４０ｍｍ」を意味することを意図する。
【国際調査報告】
2010503586.tif 000005
2010503586.tif 000006
2010503586.tif 000007